(57)【要約】      （修正有）【課題】デンタルフロスを交換できるとともに、使用方法が便利な歯間クリーニング器を提供する。【解決手段】固定台座と、前蓋２０と、弾性片３０と、フロス車輪４０と、フロス巻き柱５０と、によって構成する。固定台座の前端はＵ字型開口部１１を形成し、固定台座にはフロスガイド溝１８が設けられ、デンタルフロス６０が、フロスガイド溝に沿って、固定台座に取り付けられる。前蓋は固定台座に被せられ、前蓋と固定台座の間には、弾性片とフロス車輪が設けられ、フロス車輪は、弾性片に押されて固定台座の内側壁に貼りつく。【選択図】図１
0003172089.tif 000002
【実用新案登録請求の範囲】
【請求項１】
固定台座と、前蓋と、弾性片と、フロス車輪と、フロス巻き柱と、によって構成する歯間クリーニング器であって、
前記固定台座は矩形に近いケースであり、固定台座の前端はＵ字型開口部を形成し、固定台座には貫通孔が設けられ、固定台座の内側壁における貫通孔の周縁にはラチェットが環状に設けられ、固定台座の頂端には差込孔が設けられ、固定台座内における差込孔の下方には、ストッパーと積載部が設けられ、固定台座の内側壁にはくり抜き孔が設けられ、前記くり抜き孔は、差込孔の下方に対応して設けられ、また、固定台座にはフロスガイド溝が設けられ、デンタルフロスが、フロスガイド溝に沿って、Ｕ字型開口部に取り付けられるとともに、固定台座頂端の差込孔に巻かれ、固定台座の頂端における差込孔の後方には、差込孔の後方まで伸ばされたデンタルフロスを切り取ることができるように、切り取り片が設けられ、
前記前蓋は、ケースであるとともに、固定台座に被せられ、それにより、固定台座と前蓋の間には収容空間が形成され、前蓋の内側壁には凸柱が設けられ、前蓋にはくり抜き孔が設けられ、前記くり抜き孔は、固定台座のくり抜き孔と相互に対応し、前蓋の内側壁には積載部が設けられ、前記積載部は、固定台座の積載部に相互に対応し、
弾性片上には穿孔が設けられ、弾性片は、前記穿孔を介して前蓋の凸柱に嵌合され、
フロス車輪は、側面から見ると、Ｈ形に似た車輪体であり、前記フロス車輪の前側面には凹溝が設けられ、フロス車輪は、凹溝によって前蓋の凸柱に嵌合され、前蓋を固定台座に被せると、フロス車輪は、前蓋と固定台座内に収容され、フロス車輪の後側面には凸部が設けられ、前記凸部は、固定台座の貫通孔に対応するとともに、貫通孔の外に突き出ており、フロス車輪の後側面には複数のラチェットが環状に設けられ、前記ラチェットは、固定台座のラチェットと対応し、弾性片に押されることにより、フロス車輪のラチェットは、固定台座のラチェットと係合されて位置決めされ回転しなくなり、フロス車輪には一定の長さのデンタルフロスが巻かれ、
フロス巻き柱の頂端は、固定台座の差込孔に差し込まれるとともに、固定台座内に収容され、フロス巻き柱の底端は、固定台座に設けられた積載部と、前蓋に設けられた積載部とにのせられ、フロス巻き柱の頂端には溝道が設けられ、前記溝道は、固定台座の外に露出し、フロス巻き柱には手回し車輪が設けられ、前記手回し車輪は、固定台座のくり抜き孔と前蓋のくり抜き孔の外に突き出ており、手回し車輪を手で回すと、フロス巻き柱は同時に回転し、また、手回し車輪は、固定台座に設けられたストッパーに当接しており、手回し車輪は単一方向だけに回転するとともに、ストッパーにストップされて回転できなくなることを特徴とする、歯間クリーニング器。
【請求項２】
前記固定台座の前端には、差込蓋が差し込まれることを特徴とする、請求項１に記載の歯間クリーニング器。
【考案の詳細な説明】
【技術分野】
【０００１】
本考案は歯間クリーニング器に関し、特にデンタルフロスを交換できるとともに、使用方法が便利な歯間クリーニング器に関する。
【背景技術】
【０００２】
現在、歯ブラシで歯を磨く以外に、デンタルフロスで、歯の隙間に詰まった食べカスやプラークを取り除くことで、歯をクリーニングすることができる。現在、デンタルフロスは、巻きつけ式と、棒状の二種類に分けられる。巻きつけ式デンタルフロスは、一定の長さのデンタルフロスを切り取り、その後、デンタルフロスの両端を、使用者の両手の指に巻きつけた後、歯のクリーニングを行う。しかしながら、この種の歯のクリーニング方法は操作がしにくく、手や指が痛くなりやすい。また、棒状デンタルフロスは、デンタルフロスをＵ字型開口部を備えるプラスチックの棒体に固定する。使用者は、プラスチックの棒体をもつことでデンタルフロスの操作をして歯のクリーニングを行う。しかしながら、この種の棒状デンタルフロスは、歯のクリーニングに便利であるものの、デンタルフロスの交換を行うことができないため、一回しか使用することができず、環境汚染を引き起こすとともに、エネルギーの無駄である。
【考案の概要】
【考案が解決しようとする課題】
【０００３】
そこで、本考案は、上述の欠点を改善し、デンタルフロスを交換できるとともに、使用方法が便利な歯間クリーニング器を提供することを目的とする。
【課題を解決するための手段】
【０００４】
上述の問題を解決するために、本考案による歯間クリーニング器は、固定台座と、前蓋と、弾性片と、フロス車輪と、フロス巻き柱と、によって構成する。前記固定台座は矩形に近いケースであり、固定台座の前端はＵ字型開口部を形成し、固定台座には貫通孔が設けられ、固定台座の内側壁における貫通孔の周縁にはラチェットが環状に設けられ、固定台座の頂端には差込孔が設けられ、固定台座内における差込孔の下方には、ストッパーと積載部が設けられ、固定台座の内側壁にはくり抜き孔が設けられ、前記くり抜き孔は、差込孔の下方に対応して設けられ、また、固定台座にはフロスガイド溝が設けられ、デンタルフロスが、フロスガイド溝に沿って、Ｕ字型開口部に取り付けられるとともに、固定台座頂端の差込孔に巻かれ、固定台座の頂端における差込孔の後方には、差込孔の後方まで伸ばされたデンタルフロスを切り取ることができるように、切り取り片が設けられる。前記前蓋は、ケースであるとともに、固定台座に被せられ、それにより、固定台座と前蓋の間には収容空間が形成され、前蓋の内側壁には凸柱が設けられ、前蓋にはくり抜き孔が設けられ、前記くり抜き孔は、固定台座のくり抜き孔と相互に対応し、前蓋の内側壁には積載部が設けられ、前記積載部は、固定台座の積載部に相互に対応する。弾性片上には穿孔が設けられ、弾性片は、前記穿孔を介して前蓋の凸柱に嵌合され、フロス車輪は、側面から見ると、Ｈ形に似た車輪体であり、前記フロス車輪の前側面には凹溝が設けられ、フロス車輪は、凹溝によって前蓋の凸柱に嵌合され、前蓋を固定台座に被せると、フロス車輪は、前蓋と固定台座内に収容され、フロス車輪の後側面には凸部が設けられ、前記凸部は、固定台座の貫通孔に対応するとともに、貫通孔の外に突き出ており、フロス車輪の後側面には複数のラチェットが環状に設けられ、前記ラチェットは、固定台座のラチェットと対応し、弾性片に押されることにより、フロス車輪のラチェットは、固定台座のラチェットと係合されて位置決めされ回転しなくなり、フロス車輪には一定の長さのデンタルフロスが巻かれる。フロス巻き柱の頂端は、固定台座の差込孔に差し込まれるとともに、固定台座内に収容され、フロス巻き柱の底端は、固定台座に設けられた積載部と、前蓋に設けられた積載部とにのせられ、フロス巻き柱の頂端には溝道が設けられ、前記溝道は、固定台座の外に露出し、フロス巻き柱には手回し車輪が設けられ、前記手回し車輪は、固定台座のくり抜き孔と前蓋のくり抜き孔の外に突き出ており、手回し車輪を手で回すと、フロス巻き柱は同時に回転し、また、手回し車輪は、固定台座に設けられたストッパーに当接しており、手回し車輪は単一方向だけに回転するとともに、ストッパーにストップされて回転できなくなる。
【図面の簡単な説明】
【０００５】
【図１】本考案の構造を示した分解斜視図である。
【図２】本考案の組み立てた状態を示した斜視図である。
【図３】本考案から前蓋をとった状態を示した正面図である。
【図４】手回し車輪を手で回して回転させ、フロス巻き柱も同時に回転させた状態を示した上面図である。
【図５】本考案の断面図である。
【図６】フロス車輪を押して、固定台のラチェットから外す状態を示した断面図である。
【図７】固定台座の前端に差込蓋を差し込んだ状態を示した正面図である。
【考案を実施するための形態】
【０００６】
図１に示すように、本考案による歯間クリーニング器は、固定台座１０と、前蓋２０と、弾性片３０と、フロス車輪４０と、フロス巻き柱５０と、によって構成する。
【０００７】
固定台座１０（図２と図３を同時に参照する）は矩形に近いケースであり、固定台座１０の前端はＵ字型開口部１１を形成し、固定台座１０には貫通孔１２が設けられ、固定台座１０の内側壁における貫通孔１２の周辺にはラチェット１３が環状に設けられ、固定台座１０の頂端には差込孔１４が設けられ、固定台座１０内における差込孔１４の下方には、ストッパー１５と積載部１６が設けられ、固定台座１０の内側壁にはくり抜き孔１７が設けられ、くり抜き孔１７は差込孔１４の下方に対応するように設けられる。また、固定台座１０にはフロスガイド溝１８が設けられ、デンタルフロス６０は、フロスガイド溝１８に沿ってＵ字型開口部１１に取り付けられるとともに、固定台座１０の頂端の差込孔１４に巻かれる。また、固定台座１０の頂端における差込孔１４の後方には切り取り片７０が設けられ、切り取り片７０は、差込孔１４の後方まで伸びたデンタルフロスを切り取ることができる。
【０００８】
前蓋２０（図２と図３を同時に参照する）はケースであり、前蓋２０は固定台座１０に被せられ、それにより、固定台座１０と前蓋２０の間には、収容空間が形成される。前蓋２０の内側壁には凸柱２１が設けられる。また、前蓋２０にはくり抜き孔２２が設けられ、くり抜き孔２２は、固定台座１０のくり抜き孔１７と相互に対応する。前蓋２０の内側壁には積載部２３が設けられ、積載部２３は、固定台座１０の積載部１６と相互に対応する。
【０００９】
弾性片３０（図３を同時に参照する）には穿孔３１が設けられ、弾性片３０は、穿孔３１を介して、前蓋２０の凸柱２１に嵌合される。
【００１０】
フロス車輪４０（図３を同時に参照する）は、側面からみると、Ｈ形に似た車輪体である。フロス車輪４０の前側面には凹溝４１が設けられ、フロス車輪４０は、凹溝４１によって前蓋２０の凸柱２１に嵌合される。また、前蓋２０を固定台座１０に被せる際に、フロス車輪４０は、前蓋２０と固定台座１０内に収容される。フロス車輪４０の後側面には凸部４２が設けられ、凸部４２は、固定台座１０の貫通孔１２に対応するとともに、貫通孔１２の外に突き出る。フロス車輪４０の後側面には、複数のラチェット４３が環状に設けられる。ラチェット４３は、固定台座１０のラチェット１３と対応するとともに、弾性片３０に押されることにより、フロス車輪４０のラチェット４３は、固定台座１０のラチェット１３と係合されて位置決めされ、回転しなくなる。また、フロス車輪４０には、一定の長さのデンタルフロス６０が巻かれる。
【００１１】
フロス巻き柱５０（図２と図３を同時に参照する）の頂端は、固定台座１０の差込孔１４に差し込まれるとともに、固定台座１０内に収容される。フロス巻き柱５０の底端は、固定台座１０に設けられた積載部１６と、前蓋２０に設けられた積載部２３とにのせられる。フロス巻き柱５０の頂端には、溝道５１が設けられ、溝道５１は、固定台座１０の外に露出する。フロス巻き柱５０には手回し車輪５２が設けられ、手回し車輪５２は、固定台座１０のくり抜き孔１７と、前蓋２０のくり抜き孔２２の外に突き出る。手回し車輪５２を手で回すと、フロス巻き柱５０も同時に回転する。また、手回し車輪５２は、固定台座１０に設けられたストッパー１５に当接しており、それにより、手回し車輪５２は単一方向だけに回転し、ストッパー１５にストップされて回転できなくなる。
【００１２】
上述の構造によると、図３に示すように、フロス車輪４０のデンタルフロス６０からフロスを出した後、フロスガイド溝１８に沿って、Ｕ字型開口部の両側に取り付けるとともに、固定台座１０の頂端に巻きつけ、さらに、前記デンタルフロス６０をフロス巻き柱５０の溝道５１に通し、手回し車輪５２を手で回すことで、フロス巻き柱５０が回転し（図４に図示）、溝道５１にデンタルフロス６０が巻き付き、デンタルフロス６０がピンと張った状態になり、さらに、固定台座１０内に設けられたストッパー１５によってストップされ、フロス巻き柱５１は回転しなくなり、Ｕ字型開口部１１箇所のデンタルフロス６０はピンと張った状態を維持することができ、使用者は歯のクリーニングをすることができる。その後、Ｕ字型開口部１１箇所のデンタルフロス６０を交換したい時は、固定台座１０の頂端に設けられた切り取り片７０を利用して、固定台座１０の頂端のデンタルフロス６０を切り取る。その後、固定台座１０の外に突出したフロス車輪４０に設けられた凸部４１（図５に図示）を押すと、フロス車輪４０に設けられたラチェット４３が、固定台座１０の内側に設けられたラチェット１３の係合から外れる（図６に図示）。使用者は、固定台座１０の上方からデンタルフロス６０を一定の長さ分引っ張り出し、その後、フロス車輪４０の凸部４１を押すのを放すと、前記フロス車輪４０は弾性片３０に押されて固定台座１０の内側壁に貼りつき、フロス車輪４０に設けられたラチェット４３は、固定台座１０のラチェット１３と係合して位置決めされ（図５に図示）、それによりフロス車輪４０は回転しなくなり、フロスが出なくなる。続いて、デンタルフロス６０をフロス巻き柱５０の溝道５１に通し、手回し車輪５２を手で回すと、フロス巻き柱５０が回転してデンタルフロス６０を巻きつけることにより、デンタルフロス６０がピンと張った状態になり、Ｕ字型開口部１１箇所のデンタルフロス６０Ａの交換が完成する。そして、使用者は、固定台座１０を握ってデンタルフロス６０を操作することで、歯のクリーニングを行うことができる。
【００１３】
上述した内容に加え、本考案の好ましい実施例は、図１と図７に示すように、さらに、差込蓋８０を含む。差込蓋８０は固定台座１０の前端に設けられたＵ字型開口部１１に差し込まれ、前記箇所のデンタルフロス６０を密封して保護し、デンタルフロス６０が汚れたり損傷したりするのを防ぐことができる。
【００１４】
以上の詳細な説明と図から分かるように、本考案は、従来の技術の欠点を改善することができる。本考案は、デンタルフロス６０を交換して使用することができ、さらに、使用者が固定台座１０を手に持つことでデンタルフロスを操作することができる歯間クリーニング器を提供する。このように、本考案は明らかな進歩性を有しており、本考案の構造は従来にはなかったものであり、実用新案の要件に符合しているため、実用新案法にのっとり、実用新案申請を行うものである。
【符号の説明】
【００１５】
１０    固定台座                                              
１１    Ｕ字型開口部
１２    貫通孔                                              
１３    ラチェット
１４    差込孔                                                  
１５    ストッパー
１６    積載部                                            
１７    くり抜き孔
１８    フロスガイド溝                                              
２０    前蓋
２１    凸柱                                                  
２２    くり抜き孔
２３    積載部                                              
３０    弾性片
３１    穿孔                                                  
４０    フロス車輪
４１    凹溝                                                  
４２    凸部
４３    ラチェット                                                  
５０    フロス巻き柱
５１    溝道                                                  
５２    手回し車輪
６０    デンタルフロス                                                  
７０    切り取り片
８０    差込蓋
【図１】
0003172089.tif 000003
【図２】
0003172089.tif 000004
【図３】
0003172089.tif 000005
【図４】
0003172089.tif 000006
【図５】
0003172089.tif 000007
【図６】
0003172089.tif 000008
【図７】
0003172089.tif 000009